(57)【要約】本発明は、メディアプレーヤー１３からのオーディオ出力を再生するためのイヤホン１に関し、イヤホン１は、オーディオ出力を音波に変換するためのスピーカーエレメント２４と、メディアプレーヤー１３からスピーカーエレメント２４に伝送されたオーディオ出力を制御するための制御器１２０と、ユーザの動きを検出するための第１モーションセンサーと、ユーザの心拍数を検出するためにサイズが定められ、適応された脈拍数検出器と、を有し、制御器１２０は、第１モーションセンサー及び脈拍数検出器からセンサーデータを受信し、センサーデータに基づいてユーザの状態を決定するように適応され、制御器は、ユーザの状態に基づいて、スピーカーエレメントへのオーディオ出力を調節する。【選択図】  図６
2017539159.tif 000002
【特許請求の範囲】
【請求項１】
メディアプレーヤー（１３）からのオーディオ出力を再生するためのイヤホン（１）において、
ユーザの耳（２０）に配されるようにサイズが定められ、適応され、オーディオ出力を音波に変換するスピーカーエレメント（２４）を有する少なくとも１つのイヤーピース（２）と、
メディアプレーヤー（１３）から前記スピーカーエレメントに伝送される前記オーディオ出力を制御する制御器（１２０）と、
ユーザの動きを検出する第１モーションセンサーと、
ユーザの心拍数を検出するためにサイズが定められ、適応された脈拍数検出器と、を有し、
前記モーションセンサーは、ユーザの動きを感知するように適応された加速度計であり、
前記制御器（１２０）は、前記第１モーションセンサー及び前記脈拍数検出器からセンサーデータを受信し、前記センサーデータに基づいてユーザの状態を決定するように適応され、
前記制御器（１２０）は、ユーザによって行われた活動に前記オーディオ出力を適応させるために、前記決定されたユーザの状態に基づいて、前記スピーカーエレメントへのオーディオ出力を調節し、センサーデータがユーザの低い活動状態を示せば、前記制御器（１２０）が低い活動状態に適合するように前記オーディオ出力を調節するか、又はセンサーデータがユーザの高い活動状態を示せば、前記制御器（１２０）が高い活動状態に適合するように前記オーディオ出力を調節するか、の少なくともいずれか一方を行い、
前記オーディオ出力の調節は、停止、一時停止、再生、ボリュームの増加又は減少、ｂｐｍ（ｂｅａｔ  ｐｅｒ  ｍｉｎｕｔｅ）、ケイデンス（ｃａｄｅｎｃｅ）、リズム（ｒｈｙｔｈｍ）に基づいたオーディオ出力の制御、所定の選択、ジャンル、プレイリスト又は特定トラックのような予め定義された選択に基づいたオーディオ出力の制御、の内の１つ又は１つ以上の組み合わせを含むことを特徴とするイヤホン。
【請求項２】
前記ユーザの状態の決定は、ユーザが眠っているか、又は目覚めているかを決定することを含むことを特徴とする請求項１に記載のイヤホン。
【請求項３】
前記ユーザの状態の決定は、ユーザが休息中であるか、又は運動中であるかを決定することを含むことを特徴とする請求項１又は２に記載のイヤホン。
【請求項４】
前記脈拍数検出器は、ユーザの血流を感知するために適応されたＩＲセンサーであることを特徴とする請求項１乃至請求項３の何れか一項に記載のイヤホン。
【請求項５】
前記スピーカーエレメント（２４）へのオーディオ出力の調節は、オーディオ出力のボリュームを調節することを含むことを特徴とする請求項１乃至請求項４の何れか一項に記載のイヤホン。
【請求項６】
前記制御器（１２０）及び第２加速度計を含む遠隔制御部（１２）をさらに有し、
前記遠隔制御部（１２）は、前記イヤホン（１）のイヤーピース（２）から離隔して配されることを特徴とする請求項１乃至請求項５の何れか一項に記載のイヤホン。
【請求項７】
前記脈拍数検出器は、省エネルギーのために周期的に活性化又は不活性化されることを特徴とする請求項１乃至請求項６の何れか一項に記載のイヤホン。
【請求項８】
イヤホンによってメディアプレーヤー（１３）からのオーディオ出力を調節するための方法であって、
前記イヤホンは、オーディオ出力を音波に変換するスピーカーエレメント（２４）と、制御器（１２０）と、第１モーションセンサー（２５）と、脈拍数検出器と、を含み、前記モーションセンサーは、ユーザの動きを感知するように適応された加速度計であり、
前記方法は、前記第１モーションセンサーによってユーザの動きを検出する段階（Ｓ２０１）と、
前記脈拍数検出器によって脈拍数を検出する段階（Ｓ２０２）と、
前記第１モーションセンサー及び前記脈拍数検出器から前記制御器にセンサーデータを伝送する段階（Ｓ２０３）と、
前記センサーデータに基づいて、制御器によってユーザの状態を決定する段階（Ｓ２０４）と、
ユーザによって行われた活動に前記オーディオ出力を適応させるために、前記ユーザの状態に基づいて、前記メディアプレーヤー（１３）から前記スピーカーエレメントに伝送されたオーディオ出力を調節し、センサーデータがユーザの低い活動状態を示せば、前記制御器が低い活動状態に適合するように前記オーディオ出力を調節するか、又はセンサーデータがユーザの高い活動状態を示せば、前記制御器が高い活動状態に適合するように前記オーディオ出力を調節するか、の少なくともいずれか一方を行う段階（Ｓ２０５）と、を含み、
前記オーディオ出力の調節は、停止、一時停止、再生、ボリュームの増加又は減少、ｂｐｍ、ケイデンス、リズムに基づいたオーディオ出力の制御、所定の選択、ジャンル、プレイリスト又は特定トラックのような予め定義された選択に基づいたオーディオ出力の制御、の内の１つ又は１つ以上の組み合わせを含むことを特徴とする方法。
【請求項９】
制御器（１２０）が、メディアプレーヤー（１３）からイヤホンへのオーディオ出力を調節させるコンピュータプログラム手段が保存されたコンピュータ読取可能記録媒体を含むコンピュータプログラム製品であって、
前記イヤホンは、オーディオ出力を音波に変換するスピーカーエレメント（２４）、制御器、第１モーションセンサー、及び脈拍数検出器を含み、
前記第１モーションセンサーは、ユーザのモーションを感知するように適応された加速度計であり、
前記コンピュータプログラム製品は、前記第１モーションセンサーによってユーザの動きを感知する段階（Ｓ２０１）のためのコードと、
前記脈拍数検出器によって脈拍数を検出する段階（Ｓ２０２）のためのコードと、
前記第１モーションセンサー及び前記脈拍数検出器から前記制御器にセンサーデータを伝送する段階（Ｓ２０３）のためのコードと、
前記センサーデータに基づいて、前記制御器によってユーザの状態を決定する段階（Ｓ２０４）のためのコードと、
ユーザによって行われた活動に前記オーディオ出力を適応させるために、ユーザの状態に基づいて、前記メディアプレーヤー（１３）から前記スピーカーエレメントに伝送されたオーディオ出力を調節し、センサーデータがユーザの低い活動状態を示せば、前記制御器が低い活動状態に適合するように前記オーディオ出力を調節するか、又はセンサーデータがユーザの高い活動状態を示せば、前記制御器が高い活動状態に適合するように前記オーディオ出力を調節するか、の少なくともいずれか一方を行う段階（Ｓ２０５）のためのコードと、を含み、
前記オーディオ出力の調節は、停止、一時停止、再生、ボリュームの増加又は減少、ｂｐｍ、ケイデンス、リズムに基づいたオーディオ出力の制御、所定の選択、ジャンル、プレイリスト又は特定トラックのような予め定義された選択に基づいたオーディオ出力の制御の内の１つ又は１つ以上の組み合わせを含むことを特徴とするコンピュータプログラム製品。
【発明の詳細な説明】
【技術分野】
【０００１】
本発明は、イヤホン分野に関し、特に、オーディオ出力制御用センサーが統合されたイヤホンに関する。
【背景技術】
【０００２】
一般的に、イヤホン技術分野において、ユーザは、自身が聞こうとするものを選択する。
音楽や他のオーディオを聴取しながら眠るのは頻繁である。
最先端ミュージックプレーヤーでは、タイマーによって音楽を止める前までどれ位の時間再生するかを設定することができるが、このような機能は、ユーザが自分自身が眠る時を知ることを要求する。
【０００３】
多くの場合に、ユーザは、自身が眠るまでにかかる時間（５分又は５０分）が分からないので、タイマーを正しく設定することは簡単ではない。
結果的に、ユーザは、過度に長い期間でタイマーを設定するか、スリープ（ｓｌｅｅｐ）タイマーを全く活性化しないこともあり、従って、ユーザは、オーディオ出力のために意図しないで目覚めることがある。
したがって、睡眠機能を向上させるイヤホンが必要である。
【発明の概要】
【発明が解決しようとする課題】
【０００４】
本発明は、改善された睡眠機能を備えたイヤホンを提供することを目的とする。
本発明は、所望のオーディオ出力がユーザの状態に依存するという認識に基づく。
例えば、ユーザは、睡眠（ｓｌｅｅｐｉｎｇ）、休息（ｒｅｓｔｉｎｇ）、ランニング（ｒｕｎｎｉｎｇ）、ワーキング（ｗｏｒｋｉｎｇ）の間に互いに異なる出力モードを所望する。
このような理解に基づいて、２種タイプのセンサーデータに基づきユーザの状態を検出し、ユーザの状態に基づいてオーディオ出力を制御するイヤホン及び方法を開発した。
したがって、本発明の他の目的は、ユーザの状態に依存するオーディオ出力を有するイヤホンに提供するところにある。
【課題を解決するための手段】
【０００５】
本発明の一態様によれば、このような目的は、メディアプレーヤーからのオーディオ出力を再生するためのイヤホンによって達成され、イヤホンは、ユーザの耳に配されるようにサイズが定められ（ｓｉｚｅｄ）、適応され（ａｄａｐｔｅｄ）、オーディオ出力を音波に変換するスピーカーエレメントを有する少なくとも１つのイヤーピース（ｅａｒｐｉｅｃｅ）と、メディアプレーヤーからスピーカーエレメントに伝送されるオーディオ出力を制御する制御器と、ユーザの動きを検出する第１モーションセンサーと、ユーザの心拍数を検出するためにサイズが定められ、適応された脈拍数検出器と、を含む。
また、制御器は、第１モーションセンサー及び脈拍数検出器からセンサーデータを受信し、センサーデータに基づいてユーザの状態を決定するように適応される。
最後に、制御器は、ユーザの状態に基づいて、スピーカーエレメントへのオーディオ出力を調節する。
【０００６】
本発明の他の態様によれば、前述した目的は、イヤホンを用いてメディアプレーヤーからのオーディオ出力を調節する方法によって達成され、イヤホンは、オーディオ出力を音波に変換するスピーカーエレメントと、制御器と、第１モーションセンサーと、脈拍数検出器と、を含む。方法は、第１モーションセンサーによってユーザの動きを検出する段階と、脈拍数検出器によって脈拍数を検出する段階と、第１モーションセンサー及び脈拍数検出器から制御器にセンサーデータを伝送する段階と、センサーデータに基づいて、制御器によってユーザの状態を決定する段階と、ユーザの状態に基づいて、メディアプレーヤーからスピーカーエレメントに伝送されるオーディオ出力を調節する段階と、を含む。
【０００７】
これにより、イヤホンと関連して前述した利点と類似した利点を有する、メディアプレーヤーからの出力を調節する方法が達成される。
また、イヤホンと関連して説明された任意の機能及び方法は、本発明の方法の範囲を外れず、方法として具現可能であるということを理解しなければならない。
例えば、センサーは、前述したように、不活性及び活性期間を有し、出力は、歌を選択し、停止／一時停止／再生動作を行い、ボリューム又は他の動作を変更するものであり得る。
【０００８】
本発明の他の態様によれば、前述した目的は、制御器が、メディアプレーヤーからイヤホンへのオーディオ出力を調節させるコンピュータプログラム手段が保存されたコンピュータ読取可能記録媒体を含むコンピュータプログラム製品によって達成され、イヤホンは、オーディオ出力を音波に変換するスピーカーエレメント、制御器、第１モーションセンサー、及び脈拍数検出器を含み、コンピュータプログラム製品は、第１モーションセンサーによってユーザの動きを検出するためのコードと、脈拍数検出器によって脈拍数を検出するためのコードと、第１モーションセンサー及び脈拍数検出器から制御器にセンサーデータを伝送するためのコードと、を含む。
また、コンピュータプログラム製品は、センサーデータに基づいて、制御器によってユーザの状態を決定するためのコードと、ユーザの状態に基づいて、メディアプレーヤー（１３）からスピーカーエレメントに伝送されたオーディオ出力を調節するためのコードと、を含む。
【０００９】
これにより、前述したメディアプレーヤーからの出力を調節する方法は、コンピュータプログラム製品によって行われ、その利点は、イヤホンと関連して前述した利点と類似している。
また、前述した任意の機能及び方法は、本発明の概念の範囲を外れず、前記の機能又は方法を行うためのコードとして具現可能であるということを理解しなければならない。
例えば、コンピュータプログラム製品は、前述したように、センサーに対する不活性及び活性化の周期を生成するためのコードを含み、出力は、歌を選択し、停止／一時停止／再生動作を行い、ボリューム又は他の動作を変更するものであり得る。
【００１０】
コンピュータ読取可能記録媒体は、消去可能な不揮発性ＲＡＭ（ｒｅｍｏｖａｂｌｅ  ｎｏｎｖｏｌａｔｉｌｅ  ｒａｎｄｏｍ  ａｃｃｅｓｓ  ｍｅｍｏｒｙ）、ハードディスクドライブ、フロッピー（登録商標）ディスク、ＣＤ−ＲＯＭ、ＤＶＤ−ＲＯＭ、ＵＳＢメモリ、ＳＤメモリカード、又は（現在及び未来）公知の類似したコンピュータ読取可能記録媒体の内の１つであり得る。
本発明は、ソフトウェア及びハードウェアコンポーネントの組み合わせを使って具現可能である。
【発明の効果】
【００１１】
本発明によるイヤホンを提供することによって、イヤホンは、２つの異なるセンサーデータ入力によって従来技術よりも高い正確度のユーザの状態を検出することができる。
次いで、決定された状態は、如何なるオーディオ出力がユーザに伝送されなければならないかを制御することができる。
例えば、制御器が、センサーデータに基づいてユーザが眠る最中であると決定すれば、ボリュームが低くなるか、特定の歌が選択されるか、睡眠と関連したプレイリストが活性化されうる。
【００１２】
他の例を挙げれば、制御器が、センサーデータに基づいてユーザが運動し始めると決定すれば、ボリュームが増加するか、運動と関連したプレイリストが活性化されうる。
より具体的には、センサーは、例えば、体育館での「ｒｕｎｎｉｎｇ」及び「ｌｉｆｔｉｎｇ  ｗｅｉｇｈｔｓ」を区別し、それにより出力を調節することができる。
これは、心拍数だけではなく、ユーザの動きをモニタリングすることで可能である。
モーションセンサーは、ユーザの動きの変化を検出し、脈拍数検出器は、ユーザが睡眠−運動スケール（ｓｌｅｅｐ−ｔｏ−ｗｏｒｋｏｕｔ−ｓｃａｌ）において如何なる状態にあるかを決定するのに使われる。
モーションセンサー及び脈拍数検出器からのデータを組み合わせることによって、ユーザの状態に関する情報が、従来技術よりもさらに正確に決定されうる。
【図面の簡単な説明】
【００１３】
【図１】本発明の一実施形態によるイヤホンの側面図である。
【図２】本発明の一実施形態によるイヤホンの正面図である。
【図３】本発明の一実施形態による使用中であるイヤホンの正面図である。
【図４】本発明の一実施形態による使用中であるイヤホンの正面図である。
【図５】本発明の一実施形態によるイヤホンの斜視図である。
【図６】メディアプレーヤーを備えた本発明によるイヤホンのシステム概要図である。
【図７】本発明による方法を説明するフローチャートである。
【図８】本発明の一実施形態によるイヤホンの機能を示す概略ブロック図である。
【発明を実施するための形態】
【００１４】
次に、本発明に係る活動制御出力を有するイヤホンを実施するための形態の具体例を図面を参照しながら説明する。
【００１５】
本発明は、多くの異なる形態として具現可能であり、本明細書に説明された実施形態にのみ限定されると解釈されてはならない。
これら実施形態は、徹底かつ完全に提供され、当業者に本発明の範囲を十分に伝達する。
同じ参照記号は、同じ構成要素を称する。
【００１６】
本明細書において、“ユーザの状態”は、広い意味のユーザの身体状態又は活動と理解しなければならない。
ユーザの状態は、「ａｗａｋｅ（覚醒）」、「ｒｅｓｔｉｎｇ（休息）」、「ｓｌｅｅｐｉｎｇ（睡眠）」、「ｗｏｒｋｉｎｇ  ｏｕｔ（運動）」、「ｒｕｎｎｉｎｇ（走る）」、「ｌｉｆｔｉｎｇ  ｗｅｉｇｈｔｓ（重いものを持ち上げる）」、「ｂｉｃｙｃｌｉｎｇ（自転車走行）」、「ｃｌｉｍｂｉｎｇ（登る）」、「ｄａｎｃｉｎｇ（踊る）」、「ｊｕｍｐｉｎｇ（跳躍する）」などを含むが、これらに限定されるものではない。
【００１７】
そして、ユーザの状態は、目覚めている状態（ａｗａｋｅ）から次第に眠り込み（ｆａｌｌｉｎｇ  ａｓｌｅｅｐ）、結果的に、例えば、ボリュームを徐々に低める状態を含む。
また、ユーザの異なる検出可能な状態は、メディアプレーヤーのアプリケーションで、又は他のソフトウェアを通じてユーザによってあらかじめ定義されうる。
これにより、ユーザが、イヤホンが特定状態、すなわち、「ｄａｎｃｉｎｇ」の検出を所望するならば、ユーザは、「ｄａｎｃｉｎｇ」状態及び対応するセンサーデータを定義することができる。
また、ユーザの互いに異なる状態及び対応するセンサーデータを学習するソフトウェアアプリケーションが使われる。
これにより、イヤホンは、ユーザの状態を決定する能力を向上させることができる。
【００１８】
また、本明細書において、“オーディオ出力”は、オーディオソースからイヤホンのスピーカーユニットに伝送される任意のサウンドコンテンツとして理解しなければならない。
オーディオ出力は、音楽（ｍｕｓｉｃ）、リラクゼーションサウンド（ｒｅｌａｘａｔｉｏｎ  ｓｏｕｎｄｓ）、スピーキング（ｓｐｅａｋｉｎｇ）、ポッドキャスト（ｐｏｄ  ｃａｓｔｓ）、オーディオブックなどを含みうるが、これらに限定されるものではない。
【００１９】
また、“メディアプレーヤー”という用語は、オーディオ出力を伝送しうる任意のソース（ｓｏｕｒｃｅ）として理解しなければならない。
メディアプレーヤーは、スマートフォン、ミュージックプレーヤー、ＤＶＤプレーヤー、ラジオ、ＴＶ、コンピュータ、タブレットなどを含みうるが、これらに限定されるものではない。
したがって、本発明の概念は、携帯型メディアプレーヤー及び固定型メディアプレーヤーいずれにも使用され得る。
【００２０】
また、本明細書において、“脈拍数検出器”は、心拍数（ｈｅａｒｔ  ｒａｔｅ）を検出するためのセンサーとして理解しなければならない。
制御器は、ユーザの状態と関連してオーディオ出力を制御する。
モーションセンサー及び脈拍数検出器のデータを結合することによって、制御器が、オーディオ出力の設定に使われる、ユーザの状態に対するより信頼性のある決定を取得することができる。
【００２１】
例えば、ユーザが目覚めており（ａｗａｋｅ）、歩いている（ｗａｌｋｉｎｇ）場合、脈拍数検出器及びモーションセンサーは、制御器が正しいオーディオ出力を提供できるように、制御器に十分なデータを提供する。
次いで、ユーザが座れば（ｓｉｔｓ  ｄｏｗｎ）、脈拍数検出器は、遅い脈拍を感知し、モーションセンサーは、座っていること（ｓｉｔｔｉｎｇ）と関連したモーションパターンを感知することができる。
これは、制御器がボリュームを低めるか、低いビート（分当たりビート数（ｂｅａｔｓ  ｐｅｒ  ｍｉｎｕｔｅ））音楽オーディオ出力に切り替えるようなオーディオ出力の変更には十分なデータである。
【００２２】
また、本発明によるイヤホンは、改善された睡眠機能を提供するが、これは、ユーザがオーディオ出力を聴取する間に眠り込み、ユーザの睡眠状態に基づいてオーディオ出力を変更させることが一般的であるためである。
【００２３】
モーションセンサー又は脈拍数検出器の内の１つのデータのみでは、所望のオーディオ出力の提供には不足であるために、脈拍数検出器とモーションセンサーのデータとを結合すれば、正確度が向上する。
例えば、ユーザの脈拍は、緊張感又はストレスによって増加する。
ユーザがイヤホンを使い、イヤホンの制御器が高い脈拍のみに基づいて“運動状態（ｗｏｒｋｏｕｔ−ｓｔａｔｅ）”であると決定してアップテンポなオーディオ出力（ｕｐ  ｔｅｍｐｏ  ａｕｄｉｏ  ｏｕｔｐｕｔ）を選択するならば、速いビートの音楽は、ストレスの状態を高めるだけなので、その結果は望ましくない。
【００２４】
しかし、脈拍数検出器とモーションセンサーのデータとを結合すれば、高い脈拍は運動によって発生したものではないことを明確にし、ユーザがストレス状態にあると決定することができ、よって、オーディオ出力は、静かな低いビートの気楽な音楽（ｃａｌｍ  ｌｏｗ  ｂｅａｔ  ｒｅｌａｘｉｎｇ  ｍｕｓｉｃ）であり得る。
これは、例えば、心理的苦痛を有した人に望ましい。
【００２５】
一実施形態によれば、スピーカーエレメントに伝送されるオーディオ出力の調節制御は、制御器から自律的に（ａｕｔｏｎｏｍｏｕｓｌｙ）処理されうる。
他の実施形態で、センサーデータは、制御器からメディアプレーヤーに伝送され、メディアプレーヤーのソフトウェアは、ユーザの状態を決定し、及び／又はイヤホンへの出力を制御する。
これにより、計算の一部は、イヤホンに統合された制御器からさらに大きな計算容量を有するメディアプレーヤーに分配されうる。
【００２６】
一実施形態によれば、ユーザの状態決定は、ユーザが眠っているか、又は目覚めているかを決定することを含む。
脈拍数及びユーザのモーションを結合して、ユーザの状態を決定することができる。
特定状態は、脈拍が休息脈拍（ｒｅｓｔ  ｐｕｌｓｅ）で遅くなることを意味する、眠っている状態であり得る。
一実施形態では、休息脈拍は、ユーザによってあらかじめ定義されうる。
他の実施形態では、休息脈拍数は、制御器及びメディアプレーヤーのソフトウェアによって経時的に自動的に検出されて調節される。
また、睡眠と関連した移動パターンを感知する、モーションセンサーと結合して検出された脈拍数に基づいて、制御器は、ユーザが眠ったと決定することができる。
また、睡眠と関連した移動パターンは、ユーザがイヤホンを使用することによって、経時的に調節される。
【００２７】
他の実施形態で、睡眠と関連した移動パターンは、集計され（ａｇｇｒｅｇａｔｅｄ）、検出された（ｄｅｔｅｃｔｅｄ）時間による、動きが臨界値以下であるものであり得る。
したがって、制御器は、ボリュームを下げるか、オーディオ出力を遅いビート音楽に変更するか、再生機能をスイッチングオフ（ｓｗｉｔｃｈｉｎｇ  ｏｆｆ）するような、所定のモードによってオーディオ出力を制御することができる。
一実施形態で、ユーザは、制御器がユーザの状態に基づいて出力を制御する方法をあらかじめ定義することができる。
出力を制御する幾つかの例は、プレイリストを睡眠と関連させるか、ボリュームを下げるか、睡眠時にオーディオ出力を中止することを含む。
【００２８】
さらに他の実施形態によれば、ユーザの状態決定は、ユーザが眠っているか否かを決定することを含む。
これにより、眠る間にオーディオ出力が徐々に制御される。
例えば、ユーザが、徐々に眠り込む期間の間にボリュームが徐々に減少しうる。
【００２９】
一実施形態によれば、ユーザの状態決定は、ユーザが休息中であるか、又は運動中であるかを決定することを含む。
これにより、オーディオ出力は、ユーザによって行われる活動に適応されうる。
例えば、低い脈拍及びスローモーションの組み合わせが検出されれば、制御器は、ユーザが休息状態（ｒｅｓｔ  ｓｔａｔｅ）にあると決定することができる。
休息状態は、脈拍数又は移動パターンが異なるという点で睡眠状態（ｓｌｅｅｐ  ｓｔａｔｅ）と区別されうる。
【００３０】
また、休息中であるユーザは、運動する時とは異なる出力を所望する可能性がある。
一実施形態で、検出された状態は、例えば、ユーザが、「ｒｕｎｎｉｎｇ」、「ｌｉｆｔｉｎｇ  ｗｅｉｇｈｔｓ」、「ｂｉｃｙｃｌｉｎｇ」、「ｃｌｉｍｂｉｎｇ」、「ｄａｎｃｉｎｇ」、「ｊｕｍｐｉｎｇ」、「ｄｏｉｎｇ  ｙｏｇａ（ヨガを行う）」、「ｓｔｒｅｔｃｈｉｎｇ（ストレッチを行う）」などを遂行中であることを検出することによって、運動状態（ｗｏｒｋｉｎｇ  ｏｕｔ  ｓｔａｔｅ）内で特定されうる。
【００３１】
また、一実施形態から検出可能な運動状態は、メディアプレーヤーのソフトウェアアプリケーションでユーザによって定義されうる。
これにより、例えば、ジムを訪問するユーザは自動的に、スピニング自転車でウォーミングアップする間に「Ｑｕｅｅｎ」の“ｂｉｃｙｃｌｅ  ｒａｃｅ”を聴取し、ベンチプレスを行う間に「Ｓｕｒｖｉｖｏｒ」の“Ｅｙｅ  ｏｆ  ｔｈｅ  ｔｉｇｅｒ”を聞き、バーピー（ｂｕｒｐｅｅｓ）を行う時、「Ｇｌｏｒｉａ  Ｇａｙｎｏｒ」の“Ｉ  ｗｉｌｌ  ｓｕｒｖｉｖｅ”を聞き、低いボリュームの「Ｂｏｂ  Ｍａｒｌｅｙ」の“Ｎｏ  ｗｏｍａｎ  ｎｏ  Ｃｒｙ”でストレッチングと共に仕上げることができる。
【００３２】
さらに他の実施形態によれば、モーションセンサーは、ユーザの動き（動作）を感知するように適応された加速度計である。
モーションセンサーで加速度計を使用することによって、ユーザの動作パターンの変化を即時検出することが可能である。
例えば、ユーザが特定時間には歩き、後でジョギングを始める。
加速度計は、加速度、すなわち、動きの変化を感知する。
加速度又は動きパターンは、ユーザが歩くか（ｗａｌｋ）、ジョギング（ｊｏｇ）又は全力疾走（ｓｐｒｉｎｔ）時に異なる。
加速度計が変化を検出することによって、制御器は、データを受信し、所定の設定によってイヤホンを制御する。
一実施形態によれば、第１モーションセンサーは、イヤホンのイヤーピースに位置する。これにより、ユーザの頭のモーションが登録されうる。
【００３３】
一実施形態によれば、脈拍数検出器は、ユーザの血流（ｂｌｏｏｄ  ｆｌｏｗ）を検出するために適応されたＩＲセンサーである。
一実施形態で、ＩＲセンサーは、赤外線光源及び皮膚表面下の動脈からの反射光を測定する光検出器を含む。
これにより、ユーザの血流が検出され、よって、血液の脈動による脈拍数を決定することができる。
ＩＲセンサーを用いることによって、紐又はテープで身体に密着される外部脈拍数感知器を使わずとも、血流を感知することが可能である。
【００３４】
ＩＲセンサーは、ユーザの身体に密接に位置しうる位置でイヤホンに配置される。
より具体的には、ＩＲセンサーは、耳に挿入されるか、耳に近接して保持されるピース（ｐｉｅｃｅ）状のイヤホンのイヤーピースに配置される。
イヤホンのイヤーピースにＩＲセンサーを配置することによって、耳の地点で血流の検出を容易にする。
ＩＲセンサーは、使用することがさらに容易であり、身体にこれ以上の追加設置を要しない。
【００３５】
さらに他の実施形態で、第１モーションセンサーは、イヤーバッド（ｅａｒｂｕｄ）と耳との間の小さな相対的な動き（ｍｉｎｏｒ  ｒｅｌａｔｉｖｅ  ｍｏｔｉｏｎｓ）の検出に使われる。
これにより、脈拍検出からのセンサーデータは、イヤーバッドとユーザの耳との間の相対的な動きによる撹乱センサーデータ（ｄｉｓｔｕｒｂａｎｃｅ  ｓｅｎｓｏｒ  ｄａｔａ）を防止するようにフィルタリングされうる。
【００３６】
他の実施形態で、脈拍数検出器は、ユーザの皮膚の電気伝導度（ｅｌｅｃｔｒｉｃａｌ  ｃｏｎｄｕｃｔｉｖｉｔｙ）を検出して、ユーザの脈拍数を決定するための伝導性センサー材料（ｃｏｎｄｕｃｔｉｖｅ  ｓｅｎｓｏｒ  ｍａｔｅｒｉａｌ）であり得る。
【００３７】
一実施形態によれば、スピーカーエレメントへのオーディオ出力を調節することは、オーディオ出力のボリュームを調節することを含む。
これにより、ユーザは、ユーザが直面した状態に適応したボリュームでオーディオ出力を受信することができる。
例えば、ユーザの状態変化が活動的（ａｃｔｉｖｅ）から休息に行けば、制御器は、ボリュームを適切なボリュームで調節することができる。
これは、ユーザが気楽な瞬間に眠り込んだ時、ユーザが高いノイズによって急に目覚める危険がないように、制御器がボリュームを調節してボリュームを低めることができるために、利点になりうる。
また、ユーザは、ストレッチングする時とは異なってランニング時にユーザがさらに高いボリュームを好む傾向がある。
【００３８】
一実施形態によれば、スピーカーエレメントへのオーディオ出力を調節することは、ユーザの状態と関連したオーディオ出力ソースを選択することを含む。
これにより、ユーザは、ボリュームを調節するか、オーディオを一時停止又は停止することの以外に、ユーザの状態に適した音楽又は他のオーディオを選択することができる。
例えば、一シナリオで人は立ち上がって歩き、後には休息のために座る。
脈拍数検出器及びモーション検出器が、ユーザの脈拍及び動作パターン（すなわち、状態）の変化を活動的から休息に、と認知すれば、制御器は、異なるオーディオ出力を生成するためにオーディオ出力を制御する。
例えば、オーディオプレーヤーは、活動的状態（ａｃｔｉｖｅ  ｓｔａｔｅ）で軽快な音楽（ｕｐｂｅａｔ  ｍｕｓｉｃ）を再生することができる。
ユーザが、活動的状態から休息状態に変更すれば、制御器は、オーディオ出力を変更してより気楽な低いビート音楽又はリラクゼーションサウンドを再生することができる。
また、一実施形態で、ユーザは、ユーザの特定状態と関連するプレイリストをあらかじめ定義することができる。
【００３９】
一実施形態によれば、オーディオ出力は、音楽であり、ユーザの状態と関連したオーディオ出力は、音楽のｂｐｍ（ｂｅａｔ  ｐｅｒ  ｍｉｎｕｔｅ）を検出された活動（ａｃｔｉｖｉｔｙ）とマッチングさせることを含む。
これにより、オーディオ出力は、ユーザの状態と関連したビートを有する音楽を選択することができる。
例えば、ユーザが、（高い心拍数を有する）ハイスピードランニングセッション（ｈｉｇｈ  ｓｐｅｅｄ  ｒｕｎｎｉｎｇ  ｓｅｓｓｉｏｎ）を実行中である場合、速い速度（高いＢＰＭ）の歌が再生され、（低い心拍数を有する）ジョギング（ｊｏｇｇｉｎｇ）中である場合、遅い速度（遅いＢＰＭ）の歌が再生されうる。
これにより、制御器は、ユーザの状態をその状態に適する正しい音楽とマッチングさせるために、分当たりビート数、周波数などの特性によって音楽を選択することができる。
【００４０】
一実施形態によれば、オーディオ出力は、ユーザの状態に基づき、音楽のｂｐｍは、検出された脈拍に対応する。
ユーザの脈拍と音楽のｂｐｍとの間のマッチングを行えるように制御器を適応させることによって、ユーザが、ユーザの状態に適した音楽を見つけることが可能である。
また、音楽のｂｐｍは、検出されたケイデンス（歩調、リズム、律動（ｃａｄｅｎｃｅ））に対応することができる。
ケイデンスは、例えば、状態が「ｂｉｃｙｃｌｉｎｇ」である時、分当たりクランクセットの回転数（ｔｈｅ  ｎｕｍｂｅｒ  ｏｆ  ｒｅｖｏｌｕｔｉｏｎｓ  ｏｆ  ｔｈｅ  ｃｒａｎｋｓｅｔ  ｐｅｒ  ｍｉｎｕｔｅ）、又は「ｗａｌｋｉｎｇ」、又は「ｒｕｎｎｉｎｇ」状態のステップ頻度（ｓｔｅｐ  ｆｒｅｑｕｅｎｃｙ）であり得る。
【００４１】
例えば、ユーザがランニング中であり、周期的に全力疾走（ｓｐｒｉｎｔｉｎｇ）を始める場合、脈拍／ケイデンスの変化が検出され、制御器は、音楽出力をユーザの脈拍／ケイデンスと実質的に類似しているか、少なくとも関連したｂｐｍを有する音楽で調節するためにデータを受信することができる。
これにより、如何なる手動調節は、時間消耗的であり、身体活動を散漫にするために、ユーザは、運動中には避けることが望ましい、音楽手動調節を行う必要がない。
【００４２】
一実施形態によれば、イヤホンは、制御器と第２モーションセンサーとを含む遠隔制御部をさらに含む。
遠隔制御部は、イヤホンのイヤーピースから離隔して配置される。
これにより、ユーザは、オーディオ出力を手動制御するために遠隔制御を使用することができる。
また、第２モーションセンサーは、ユーザのモーションを遥かに正確に判定するために、第１モーションセンサーと結合して使われる。
また、２つのモーションセンサーを有することによって、第１モーションセンサーは、イヤーバッドと耳との間の小さな相対的な動きの検出に使われる。
これにより、脈拍検出からのセンサーデータは、イヤーバッドとユーザの耳との間の相対的な動きによる撹乱センサーデータを防止するようにフィルタリングされうる。
また、第２モーションセンサーは、第２加速度計であり得る。
これにより、第１モーションセンサーが、加速度計であることと関連して前述した利点が第２モーションセンサーに対しても達成されうる。
【００４３】
一実施形態によれば、遠隔制御部は、メディアプレーヤーとの無線通信のための無線回路（ｗｉｒｅｌｅｓｓ  ｃｉｒｃｕｉｔ）を含む。
これにより、オーディオ出力を調節するための制御通信が、無線通信を通じて伝送することができる。
遠隔制御部は、イヤーバッドとメディアプレーヤーとの間のケーブルに配置される。
代案として、遠隔制御部は、イヤーバッドに配置される。
【００４４】
一実施形態によれば、無線通信は、メディアプレーヤーとの無線通信のためのブルートゥース（登録商標）回路（Ｂｌｕｅｔｏｏｔｈ（登録商標）  ｃｉｒｃｕｉｔ）である。
これにより、無線通信は、エネルギー消費が少なく、多様なメディアプレーヤーによって支援される標準化された通信プロトコルによって処理されうる。
【００４５】
一実施形態によれば、第１加速度計は、使用時にイヤホンとユーザの耳との間の相対的なモーションの検出にさらに使われ、相対的な動きデータは、ＩＲセンサーから制御器にデータの補償に使われる。
これにより、ＩＲセンサーで撹乱（ｄｉｓｔｕｒｂａｎｃｅｓ）を引き起こす相対的な動きは、センサーデータからフィルタリングされ、さらに正確な脈拍検出が提供されうる。
【００４６】
さらに他の実施形態によれば、オーディオ出力は、ユーザの状態と関連したユーザの予め定義された設定（ｕｓｅｒ  ｐｒｅ−ｄｅｆｉｎｅｄ  ｓｅｔｔｉｎｇ）によって調節される。
これにより、ユーザは、検出されたユーザの状態によってオーディオ出力が如何に変更されるか否かを自ら選択することができる。
設定は、メディアプレーヤーのソフトウェアを通じて（例えば、スマートフォンのアプリケーションを通じて）処理されうる。
オーディオ出力の制御は、ユーザが適切であると思われる任意の特定状態に対してユーザによってあらかじめ定義されうる。
【００４７】
例えば、ユーザは、休息状態で適する音楽のプレイリスト又はオーディオブックをアップロードするか、眠る時、オーディオを一時停止するか、ボリュームを下げるように選択することができる。
オーディオの他のプレイリストは、運動状態が検出される時、再生されるように定義されうる。
代案として、又は補完として、ユーザは、ユーザの状態に対応する「ｂｅａｔｓ  ｐｅｒ  ｍｉｎｕｔｅ」の多様なサウンドコンテンツをあらかじめ定義し、制御器は、これにより、オーディオ出力を制御することができる。
ユーザは、例えば、与えられた時間に特定オーディオ出力が望ましくなければ、いつでもメディアプレーヤーの状態基盤制御を手動で中断させることができる。
【００４８】
一実施形態によれば、イヤホンは、メディアプレーヤーから供給されるエネルギーで作動する。
一実施形態では、エネルギーは、トリクル充電回路（ｔｒｉｃｋｌｅ  ｃｈａｒｇｅ  ｃｉｒｃｕｉｔｒｙ）を使ってマイクロホンライン（ｍｉｃｒｏｐｈｏｎｅ  ｌｉｎｅ）から取られる。
これにより、内部又は外部バッテリが必要ないので、よりコンパクトなデザインが可能であり、バッテリを充電する必要がない。
【００４９】
一実施形態によれば、イヤホンは、再生されたオーディオから電流を収集するためのエネルギー収集部を含み、収集された電流は、センサーの駆動に使われる。
これにより、オーディオを再生するために、イヤホンに供給されるエネルギーがさらに用いられるために、少ないエネルギーがモバイルデバイスから必要とされる。
これにより、センサーは、メディアプレーヤーと同量のバッテリの使用でさらに長いシーケンスで活性化されうる。
【００５０】
一実施形態で、イヤホンは、メディアプレーヤーと無線接続される。
これにより、ケーブルが不要であり、ユーザは、メディアプレイと関連した柔軟性（ｆｌｅｘｉｂｉｌｉｔｙ）を増加させる。
しかし、このような実施形態で、イヤホンは、スピーカーエレメント及びセンサーを駆動させるための別途のバッテリを必要とする。
【００５１】
一実施形態によれば、脈拍数検出器は、省エネルギーのために周期的に活性化又は不活性化される。
これにより、脈拍を連続して測定するよりも少ないエネルギーが必要とされる。
脈拍数検出器は、エネルギー消費が最も多いコンポーネントなので、センサーのエネルギー消費を減らすことが最も重要である。
脈拍数検出器は、１秒から１０分の間に持続する不活性期間を有しうる。
【００５２】
一部の例で、不活性期間は、５秒、１０秒、３０秒、１分、５分、又は適切であると見なされるあらゆる時間の間に持続する。
また、脈拍を測定するための活性期間は、１秒から１分の間であり得る。
一部の例で、活性期間は、１秒、３秒、１０秒、３０秒、４５秒、又は十分なデータを提供することができる他の活性時間の間に持続する。
これにより、エネルギーが節約され、メディアプレーヤーのバッテリ寿命が延びる。
【００５３】
モーションセンサーも、周期的に不活性化されうる。
モーションセンサーの不活性期間は、５秒から５分の間に持続することができる。
一部の例で、不活性期間は、５秒、１０秒、３０秒又は１分の間に持続する。
それに相応して、活性期間は、５秒から５分の間に持続することができる。
一部の例で、不活性期間は、５秒、１０秒、３０秒又は１分の間に持続する。
【００５４】
また、イヤホンは、望ましくは、ユーザからのサウンドを録音するためのマイクロホンを含む。
マイクロホンは、ユーザがフォンコール（ｐｈｏｎｅ  ｃａｌｌ）又は音声命令を処理することを可能にする。
また、マイクロホンは、ユーザの状態の信頼性（ｒｅｌｉａｂｉｌｉｔｙ）をさらに増加させるのに使われる。
また、マイクロホンは、周囲サウンドの検出に使われ、そのデータに基づいて、制御器は、オーディオ出力のボリュームを制御することができる。
これにより、ノイズが多い環境でのボリュームは、静かな環境よりも高い。
【００５５】
本発明のさらに他の態様によれば、イヤホンは、少なくとも１つのイヤーピース及びイヤホンに信号入力を提供する前面部に付着されたケーブルを含み、それぞれのイヤーピースは、能動面部（ａｃｔｉｖｅ  ｓｉｄｅ  ｐｏｒｔｉｏｎ）及び前面部（ｆｒｏｎｔ  ｓｉｄｅ  ｐｏｒｔｉｏｎ）を有し、能動面が耳道（ａｕｄｉｔｏｒｙ  ｃａｎａｌ）に向くように、ユーザの耳の耳道の入口に挿入されるように構成される。
また、イヤーピースは、使用時に、イヤーピースが外耳（ｏｕｔｅｒ  ｅａｒ）の外に飛び出してくる（ｅｘｔｅｎｄ）ことを防止するために、ユーザの外耳内部に収容されるようにサイズが定められる（ｓｉｚｅｄ）。
【００５６】
また、ケーブルが、入口位置からイヤーピースに入り、イヤーピースの前面部の入口位置から離隔した溝（ｒｅｃｅｓｓ）に摺動可能に（ｓｌｉｄａｂｌｙ）配置され、ケーブルは、調節可能であり、イヤーピースがユーザの外耳内部に保持されるようループを形成する。
これにより、イヤホンは、外耳内部に保持され、耳の外部に飛び出してこないように設計されて、ユーザの多様な活動又は状態で使用することが適している。
例えば、イヤーピースが、外耳の外に飛び出してこないために、イヤーピースは、枕又は類似品（ｔｈｅ  ａｌｉｋｅ）のような基部に耳を載せても、睡眠を妨害しない。
また、ケーブルは、耳内部にイヤーピースを保持し（ｈｏｌｄ）、例えば、睡眠、ランニング、ダンシング（ｄａｎｃｉｎｇ）などの間にイヤーピースが落ちることを防止する。
ループサイズは、ユーザの耳に適応され、よって、カスタマイズドフィット（ｔａｉｌｏｒｅｄ  ｆｉｔ）を有しうる。
【００５７】
一実施形態で、能動面は、イヤーピースがユーザの耳に気楽な着用感を提供し、摩擦を防止できるように、能動面は、軟質及び部分弾性材料（ｓｏｆｔ  ａｎｄ  ｐａｒｔｉａｌｌｙ  ｒｅｓｉｌｉｅｎｔ  ｍａｔｅｒｉａｌ）で形成されうる。
能動面及び前面は、互いに異なる材料であり得る。
前面は、高分子材料（ｐｏｌｙｍｅｒ  ｍａｔｅｒｉａｌ）、鋼鉄（ｓｔｅｅｌ）、又はその他の材料であり得る。
前面の材料が堅く、耐磨耗性を有しており、イヤーピース内部のコンポーネントを保護することができるならば、利点になりうる。
【００５８】
一実施形態で、能動面は、使用時に、外耳道（ｅａｒ  ｃａｎａｌ）に入らず、ユーザの外耳内部に置かれるように形成されうる。
これにより、例えば、頭を枕につけて休む間にイヤホンに作用する枕は、敏感な外耳道に圧力を加える作用を行わないので、睡眠に適したイヤホンを提供する。
一実施形態によれば、イヤーピースの前面には、溝が提供され、イヤホンの安定性を提供するために、ケーブルは、ユーザの耳甲介（ｃｏｎｃｈａ）のカーブ（ｃｕｒｖｅ）によって配列される調節可能なループを提供するように、溝内に摺動可能に配置されるように構成される。
【００５９】
溝は、溝が意図しないようにグリップ（ｇｒｉｐ）の解除を防止するために、溝に配されたケーブルにグリップ力を提供するように構成することができる。
例えば、イヤーピースが意図しないように落ちることを防止できるように、拡張可能な支持体を提供するように、溝は、イヤーピースがユーザの耳に差し込まれる時、ケーブルが、耳甲介のカーブに沿って配される調節可能なループを形成できるように構成することができる。
【００６０】
一実施形態によれば、入口位置は、イヤーピースの第１面に配され、溝は、イヤーピースの反対面に配置される。
イヤーピースの第１面に入口位置を配置し、反対面に溝を配置することによって、ループを甲介のカーブと可能な限り類似して形成しうる。
溝は、イヤーピースの外側部（ｏｕｔｅｒ  ｐｏｔｉｏｎ）又はイヤーピースのさらに中央（ｍｏｒｅ  ｃｅｎｔｒａｌｌｙ）に配置される。
溝は、イヤーピースのケーブル入口と一直線上に、又はイヤーピースのケーブル入口に対して斜めであるか、垂直な方向に延長される。
【００６１】
一実施形態によれば、前面は、凸状であり（ｃｏｎｖｅｘ）、使用時に、ユーザの外耳内で実質的に平らに（ｌｅｖｅｌｅｄ）構成される。
これにより、ユーザに不便さを与える任意の鋭いスクラビングエッジ（ｓｈａｒｐ  ｓｃｒｕｂｂｉｎｇ  ｅｄｇｅｓ）を避けることができる。
また、このようなデザインは、ユーザの気楽さを妨害するイヤーピースなしに、ユーザが枕のようなオブジェクト（ｏｂｊｅｃｔ）に耳をつけて休めるようにする。
【００６２】
以下、イヤホンは、耳挿入型イヤホン（ｉｎ−ｅａｒ  ｅａｒｐｈｏｎｅｓ）と関連して説明するが、本発明の概念は、ヘッドホン及び／又はシングルイヤホン（例、フォン（ｐｈｏｎｅ）用ブルートゥース（登録商標）ヘッドセットのシングルイヤホン、固定された家庭用オーディオ装置からの無線通信用ブルートゥース（登録商標）ヘッドセットのシングルイヤホン、及びガイドツアー、テーマパーク、公共体育館又は本発明のイヤホンに多重接続される中央オーディオ装置がある所で使われる無線ヘッドセットのシングルイヤホンなど）に同様に適用可能である。
【００６３】
図１は、本発明の実施形態によるイヤホン１の側面図である。
イヤホン１は、前面（ｆｒｏｎｔ  ｓｉｄｅ）３と能動面部４とを含むイヤーピース２を有する。
また、イヤーピース２は、前面３と能動面部４との間にリム（ｒｉｍ）５を有すると解釈されうる。
前面３と能動面部４は、互いに対向し、リム５を通じて共に結合される。
図１は、またリム５に近接した一端部でイヤーピース２を横切る（ｒｕｎｎｉｎｇ  ａｃｒｏｓｓ）溝６を示し、
溝６に配されたケーブル７を示す。
【００６４】
イヤホンの能動面部４は、ユーザがイヤホンを通じて伝送されたオーディオ出力を聴取できるように、ユーザの耳２０の耳道に接続されて挿入されるように構成される。
能動面部４は、ユーザの耳道に密着可能にやや先細りする（ｓｌｉｇｈｔｌｙ  ｔａｐｅｒｅｄ）。
イヤーピース２が、ユーザの耳に気楽な着用感を提供し、摩擦を防止できるように、能動面部４は、軟質及び部分弾性材料で形成されうる。
【００６５】
図２は、本発明の一実施形態によるイヤホンの正面図である。
図２を参照すると、ケーブル７は、第１端部（図２で右端部）でリム５又はイヤーピース２に付着される。
イヤーピースは、イヤーピース２の第２端部（図２で左端部）上に溝６を提供する。
図２で、第２端部は、第１端部に対向して配置される。
溝６は、ケーブル７がリム５からイヤーピース内に入る方向に垂直に延長される（ｅｘｔｅｎｄ）。
また、図２で、ケーブル７の長さ（ｌｅｎｇｔｈ）に沿ってケーブル７が溝６に配されるものを示す。
これは、溝６内に摺動可能に配置（ｓｌｉｄａｂｌｅ  ａｒｒａｎｇｅｍｅｎｔ）を提供することができる。
ケーブル７を溝６内に配置することによって、調節可能な（ａｄｊｕｓｔａｂｌｅ）ループ９が提供される。
【００６６】
ループ９は、図３及び図４に示すように、ユーザの甲介２１に位置されるように配され、ユーザの耳２０内にイヤーピースを保持するために、耳２０に対する加圧作用を可能にするために調節可能である。
【００６７】
図５は、メディアプレーヤー１３に接続されたイヤホンの斜視図であり、その組み立てられたもの（ａｓｓｅｍｂｌｙ）を示す。
図に示すように、組み立てられたものは、本発明に係るイヤホン１を含む。
【００６８】
図６は、また、イヤホンのケーブル７に沿って配される遠隔制御部１２を示す。
遠隔制御部１２は、ケーブル７を通じてオーディオ出力のためのメディアプレーヤー１３に接続される。
【００６９】
図６は、メディアプレーヤーを備えた本発明によるイヤホンのシステム概要図であり、イヤホンをメディアプレーヤー１３への接続に使われるケーブル７に付着された遠隔制御部１２を含む一実施形態のイヤホンの概要を示す。
また、図中の点線は、制御部１２が無線プロトコルを通じてメディアプレーヤー１３と通信することができるということを示す。
このような設定で無線通信は、イヤホン１によって再生されるオーディオ出力の出力制御に使われる制御データである。
【００７０】
無線通信は、またオーディオ出力の出力制御に使われるユーザの状態を決定するために、メディアプレイ又はメディアプレーヤーを通じて遠隔サーバから分析されるセンサーデータを含みうる。
制御データ（又は、オーディオ出力の制御）は、特定トラック、プレイリスト、ジャンル、ＢＰＭ−トラックの選択、ボリューム調節、一時停止、停止、再生などを含みうる。
【００７１】
図７は、イヤホンによってメディアプレーヤーからのオーディオ出力を調節する方法段階を説明するためのフローチャートである。
上記方法は、オーディオ出力を音波（ｓｏｕｎｄ  ｗａｖｅｓ）に変換するスピーカーエレメント２４、制御器１２０、第１モーションセンサー２５、及び脈拍数検出器（２６、２７）を含むイヤホンを使用する（図８参照）。
上記方法は、第１モーションセンサーによってユーザの動きを検出する段階（Ｓ２０１）、脈拍数検出器によって脈拍数を検出する段階（Ｓ２０２）、第１モーションセンサー及び脈拍数検出器から制御器にセンサーデータを伝送する段階（Ｓ２０３）、センサーデータに基づいて、制御器によってユーザの状態を決定する段階（Ｓ２０４）、及び決定されたユーザの状態に基づいて、メディアプレーヤー１３からスピーカーエレメントに伝送されたオーディオ出力を調節する段階（Ｓ２０５）を含む。
【００７２】
図８は、本発明の一実施形態でのコンポーネントの機能を示す概略ブロック図である。
この概略ブロック図で、イヤーピース２は、オーディオ出力を再生するためのスピーカーエレメント２４を含む。
イヤーピース２は、加速度計である第１モーションセンサー２５、ＩＲ  ＬＥＤ２６及びＩＲセンサー２７を含む脈拍数検出器をさらに含む。
加速度計は、使用時にユーザの頭の動きを感知するように適応された（ａｄａｐｔｅｄ）３Ｄ加速度計であり得る。
そして、ＩＲセンサー２７は、ＩＲ  ＬＥＤ２６、及び反射体（ｒｅｆｌｅｃｔｉｏｎ）からの反射光を感知し、反射光は、血流量を計算し、結果的に、脈拍数の計算に使われる。
ＩＲ  ＬＥＤ２６は、望ましくは、約８００〜９００ｎｍの波長、例えば、約８５０ｎｍの波長を使う。
【００７３】
各イヤーピース２にセンサーを二重に設けることができるが（例えば、各イヤーピース２に設置）、特に、前述したように、第２加速度計が遠隔制御部に具現される場合ではないならば、正確性のために必ずしも必要なものではない。
センサーが１つのイヤホンにのみあれば、コストが低くなる。
また、ＩＲセンサーからのデータは、アナログデータであり得るが、アナログ信号又はデジタル信号として制御器に伝送することができる。
【００７４】
また、イヤホン１は、制御部を含む。この場合、制御部は、イヤホンと通信可能に接続されたマイクロコントローラ１２０である。
望ましくは、通信は、図６で示したように、ケーブル７を通じて処理される。
ケーブル７は、デジタル通信専用信号ケーブルを含みうる。
望ましくは、センサーデータのための専用ケーブルが使われる。
制御部は、遠隔制御部１２（図８に図示せず）に配置され得る。
【００７５】
マイクロコントローラ１２０は、マイクロコントローラ１２０と遠隔制御ボタン１２３との間、及び／又はセンサー（２５、２７）からの通信を可能にするＩ２Ｃ回路１２１を含みうる。
また、マイクロコントローラ１２０は、ブルートゥース（登録商標）回路を含み、この場合、ブルートゥース（登録商標）回路は、前述したように、メディアプレーヤーと通信を可能にするＢＬＥ（Ｂｌｕｅｔｏｏｔｈ（登録商標）  ｌｏｗ  ｅｎｅｒｇｙ）回路１２２である。
【００７６】
また、電力制御部２８が、他のコンポーネントが活性化及び不活性化される時を制御するために、システムに含まれうる。
電力制御部２８は、またエネルギー保存回路３１とブーストコンバータ回路３２とを含むエネルギー収集コンポーネント３０と電気的に結合されうる。
エネルギー保存回路３１は、マイクロキャパシタであり得る。
エネルギー収集コンポーネントは、例えば、３．５ｍｍプラグであるフォンコネクション３３からエネルギーを収集し、また、前述したように、再生されたオーディオからエネルギーを潜在的に（ｐｏｔｅｎｔｉａｌｌｙ）収集するのに使われる。
エネルギー保存回路３１及びブーストコンバータ回路３２を有することによって、センサーは、活性期間の間に十分なエネルギーで作動し、エネルギー収集コンポーネントは、不活性期間の間に次の活性期間のためのエネルギー保存を始めることができる。
【００７７】
また、イヤホンは、望ましくは、例えば、フォンコール又は音声命令を処理するために、イヤホンが、ユーザからのサウンドの録音に使われるようにマイクロホン３５を含む。
また、マイクロホン３５は、検出されたユーザの状態の信頼性をさらに増加させるために使われる。
例えば、ユーザが、（センサーデータに基づいて）ランニング中であることが検出されれば、環境音（ｅｎｖｉｒｏｎｍｅｎｔａｌ  ｓｏｕｎｄ）が、ランニング関連のサウンドと関連するか否かを確認するためにマイクロホンが使われ、ユーザが、（センサーデータに基づいて）睡眠中であることが検出されれば、環境音が、睡眠関連のサウンドと関連するか否かを確認するためにマイクロホンが使われる。
また、周辺サウンドを感知し、そのデータに基づいてオーディオ出力ボリュームの制御にマイクロホンを使用しうる。
【００７８】
また、遠隔制御部１２は、検出されたユーザの状態に基づいてオーディオ出力の制御を可能又は不可能にするオン／オフスイッチを含みうる。
これにより、ユーザが所望する場合、ユーザが活動を変更する時、オーディオ出力の変更を防止することができる。
他の実施形態で、オン／オフスイッチは、メディアプレーヤー上のアプリケーションでソフトウェア設定として具現可能である。
【００７９】
本開示は、製品、方法、及び多様な動作を完遂するためのマシン読取可能記録媒体上のプログラム製品を考慮する。
本開示の実施形態は、既存のコンピュータプロセッサを用いて具現されるか、このシステム又は他の目的のために統合された適切なシステムのための特殊目的コンピュータプロセッサ又はハードワイヤシステム（ｈａｒｄｗｉｒｅｄ  ｓｙｓｔｅｍ）によって具現可能である。
【００８０】
本開示の範囲内の実施形態は、マシン実行可能インストラクション又はデータ構造を運搬又は保有するためのマシン読取可能記録媒体を含むプログラム製品を含みうる。
このようなマシン読取可能記録媒体は、汎用又は特殊目的コンピュータ又はプロセッサを有する他のマシンによってアクセスされる任意の利用可能な媒体であり得る。
【００８１】
例えば、このようなマシン読取可能記録媒体は、ＲＡＭ、ＲＯＭ、ＥＰＲＯＭ、ＥＥＰＲＯＭ、ＣＤ−ＲＯＭ又は他の光ディスクストレージ、磁気ディスクストレージ又は他の磁気ストレージ装置、又は任意の他の媒体、具体的には、マシン実行可能インストラクション又はデータ構造の形態で所望のプログラムコードの運搬又は保存に使われ、汎用又は特殊目的コンピュータ又はプロセッサを有する他のマシンによってアクセスされる非一時的なコンピュータ読取可能記録媒体を含む他の媒体を含みうる。
【００８２】
情報が、ネットワーク又は他の通信接続（ｈａｒｄｗｉｒｅｄ、ｗｉｒｅｌｅｓｓ、又はｈａｒｄｗｉｒｅｄ、又はｗｉｒｅｌｅｓｓの組み合わせ）を通じてマシンに伝達又は提供される場合、マシンは、接続をマシン読取可能記録媒体と適切に見なす。
したがって、このような接続は、マシン読取可能記録媒体であると適切に称される。
上記の組み合わせは、またマシン読取可能記録媒体の範囲内に含まれる。
マシン実行可能インストラクションは、例えば、汎用コンピュータ、特殊目的コンピュータ、又は特殊目的プロセッシングマシンをして特定機能又は機能のグループを行わせるインストラクション及びデータを含む。
【００８３】
本発明の例示的な実施形態が示されて説明されたが、これに記述されたように、多数の変更（ｃｈａｎｇｅｓ）及び修正（ｍｏｄｉｆｉｃａｔｉｏｎｓ）、又は発明の変更（ａｌｔｅｒａｔｉｏｎｓ）がなされうるということは当業者に明白である。
したがって、本発明の説明及び添付図面は、本発明の非制限的な例として見なさなければならず、本発明の範囲は、添付の特許請求の範囲に定義されているということを理解しなければならない。
【符号の説明】
【００８４】
１    イヤホン
２    イヤーピース
３    前面
４    能動面部
５    リム
６    溝
７    ケーブル
９    ループ
１２    遠隔制御部
１３    メディアプレーヤー
２０    耳
２１    甲介
２４    スピーカーエレメント
２５    第１モーションセンサー
２６    脈拍数検出器（ＩＲ  ＬＥＤ）
２７    脈拍数検出器（ＩＲセンサー）
２８    電力制御部
３０    エネルギー収集コンポーネント
３１    エネルギー保存回路
３２    ブーストコンバータ回路
３３    フォンコネクション
３５    マイクロホン
１２０    制御器（マイクロコントローラ）
１２１    Ｉ２Ｃ回路
１２２    ＢＬＥ回路
１２３    遠隔制御ボタン
【図１】
2017539159.tif 000003
【図２】
2017539159.tif 000004
【図３】
2017539159.tif 000005
【図４】
2017539159.tif 000006
【図５】
2017539159.tif 000007
【図６】
2017539159.tif 000008
【図７】
2017539159.tif 000009
【図８】
2017539159.tif 000010
【国際調査報告】
2017539159.tif 000011
2017539159.tif 000012
2017539159.tif 000013
2017539159.tif 000014